(57)【要約】 【課題】  移動機からデータ発信を適切な時間行わないようすることができることを実現することを目的とする。【解決手段】  ＭＴＦ１０１は、データ発信を規制する規制時間を示す時間情報を含む、データ発信を規制する旨を示すリジェクト信号を受信する。ＴＡＦ１０２において、計時部１０２ｂは、リジェクト信号が受信されたときを起点に時間情報で示された規制時間を計時し、通信制御部１０２ｃは、受信されたリジェクト信号に基づいてデータ発信を行わないように発信規制を行い、計時部１０２ｂにおいて時間情報で定められた規制時間を計時した場合、発信規制を解除することができる。【選択図】  図２
2007281880.tif 000002
【特許請求の範囲】
【請求項１】
データ発信を規制する規制時間を示す時間情報を含む、データ発信を規制する旨を示す規制情報を受信する受信手段と、
前記受信手段により規制情報が受信されたときに基づいて前記時間情報で示された規制時間を計時する計時手段と、
前記受信手段により受信された規制情報に基づいてデータ発信を行わないように発信規制を行うとともに、前記時間情報で定められた規制時間が前記計時手段により計時された場合、発信規制を解除する通信制御手段と、
を備える移動機。
【請求項２】
前記規制情報に基づいた発信規制を解除する旨が記述されているメールを受信するメール受信手段、を備え、
前記メール受信手段により発信規制を解除する旨が記述されているメールが受信された場合、前記通信制御手段は、発信規制を解除することを特徴とする請求項１に記載の移動機。
【請求項３】
前記移動機の加入者情報を記憶する着脱自在な外部メモリ、を備え、
前記外部メモリが差替えられた場合、前記通信制御手段は、発信規制を解除することを特徴とする請求項１または２に記載の移動機。
【請求項４】
複数の移動機から送受信されたパケットデータのデータ量を移動機ごとに区別して計測する計測手段と、
一の移動機における、前記計測手段により計測された単位時間当たりのデータ量が、あらかじめ定められた規定量より大きいと判断された場合、前記一の移動機に対してデータ発信を規制する規制時間を示す時間情報を含む、データ発信を規制する旨を示す規制情報を送信する送信手段と、
を備えるサーバ装置。
【請求項５】
移動機と、前記移動機において送受信されているデータのデータ量を計測するサーバ装置と、を含んで構成されている通信システムにおいて、
前記サーバ装置は、
前記移動機から送受信されたパケットデータのデータ量を計測する計測手段と、
前記計測手段により計測された単位時間当たりのデータ量が、あらかじめ定められた規定量より大きい場合、前記移動機に対してデータ発信を規制する規制時間を示す時間情報を含む、データ発信を規制する旨を示す規制情報を送信する送信手段と、を備え、
前記移動機は、
当該データ発信を規制する規制時間を示す時間情報を含む、データ発信を規制する旨を示す規制情報を受信する受信手段と、
前記受信手段により規制情報が受信されたときに基づいて、前記時間情報で示された規制時間を計時する計時手段と、
前記受信手段により受信された規制情報に基づいてデータ発信を行わないように発信規制を行うとともに、規制時間で定められた時間が前記計時手段により計時された場合、発信規制を解除する通信制御手段と、
を備える通信システム。
【請求項６】
移動機と、前記移動機において送受信されているデータのデータ量を計測するサーバ装置と、を含んで構成されている通信システムの発信規制方法において、
前記サーバ装置は、
前記移動機から送受信されたパケットデータのデータ量を計測する計測ステップと、
前記計測ステップにより計測された単位時間当たりのデータ量が、あらかじめ定められた規定量より大きい場合、前記移動機に対して当該データ発信を規制する規制時間を示す時間情報を含む、データ発信を規制する旨を示す規制情報を送信する送信ステップと、を備え、
前記移動機は、
データ発信を規制する規制時間を示す時間情報を含む、データ発信を規制する旨を示す規制情報を受信する受信ステップと、
前記受信ステップにより規制情報が受信されたときに基づいて前記規制時間で示された時間を計時する計時ステップと、
前記受信ステップにより受信された規制情報に基づいてデータ発信を行わないように発信規制を行い、規制時間で定められた時間が前記計時ステップにより計時された場合、発信規制を解除する通信制御ステップと、
を備える発信規制方法。
【発明の詳細な説明】
【技術分野】
【０００１】
本発明は、データ発信を規制する移動機および発信規制方法に関する。
【背景技術】
【０００２】
ネットワーク上に通信されているデータ量が予め定めた閾値以上に達した場合、ネットワークへの負荷をかけないため、データ通信を規制することが知られている。例えば、特許文献１に記載の電話機は、単位時間あたりの発信呼数および受信呼数が一定レベルの閾値に達した場合、輻輳状態になったと判断して、発信規制モードに移行し、当該電話機から発信があったことを交換機が検出すると、この電話機に対して発信規制中であることを示すトーン信号を出力することが記載されている。
【特許文献１】特開平１０−２４３０９４号公報
【発明の開示】
【発明が解決しようとする課題】
【０００３】
しかしながら、特許文献１に記載されている技術では、交換機に信号が達していることから、交換機までは発信するための処理に対する影響を受けていることになる。よって、特許文献１に記載されている技術では、ネットワークの負荷を低減するには限界があった。また、特許文献１に記載の技術では、発信規制を行うことを端末である電話機側で判断している。よって、電話機側では、実際にネットワークにおける負荷があるか否かを厳密に判断することはできない。さらに、電話機側でどれくらいの時間、発信規制を行ったらよいか、知ることができない。
【０００４】
そこで、通信されているデータ量に基づくネットワークにおける負荷を低減するとともに、移動機からデータ発信を適切な時間行わないようすることができる、移動機、サーバ装置、および通信システム、並びに発信規制方法を提供することを目的とする。
【課題を解決するための手段】
【０００５】
上述の課題を解決するため、本発明の移動機は、データ発信を規制する規制時間を示す時間情報を含む、データ発信を規制する旨を示す規制情報を受信する受信手段と、前記受信手段により規制情報が受信されたときに基づいて前記時間情報で示された規制時間を計時する計時手段と、前記受信手段により受信された規制情報に基づいてデータ発信を行わないように発信規制を行うとともに、時間情報で定められた規制時間が前記計時手段により計時された場合、発信規制を解除する通信制御手段と、を備えている。
【０００６】
この発明によれば、データ発信を規制する規制時間を示す時間情報を含む、データ発信を規制する旨を示す規制情報を受信し、規制情報が受信されたときに基づいて時間情報で示された規制時間を計時し、受信された規制情報に基づいてデータ発信を行わないように発信規制を行うとともに、時間情報で定められた規制時間を計時した場合、発信規制を解除することができる。これにより、移動機からのデータ発信量が多い場合、この移動機からのデータ発信を規制することができ、ネットワークの負荷を低減することができる。また、移動機において定められた規制時間、発信規制を行うことができ、一定の時間はネットワークの負荷を低減することができる。
【０００７】
また、本発明の移動機は、前記規制情報に基づいた発信規制を解除する旨が記述されているメールを受信するメール受信手段、を備え、前記メール受信手段により発信規制を解除する旨が記述されているメールが受信された場合、前記通信制御手段は、発信規制を解除することが好ましい。
【０００８】
この発明によれば、規制情報に基づいた発信規制を解除する旨が記述されているメールを受信した場合、発信規制を解除することができる。これにより、災害発生など緊急時にデータ発信規制を迅速に解除することができ、使い勝手のよい移動機を提供することができる。
【０００９】
また、本発明の移動機は、前記移動機の加入者情報を記憶する着脱自在な外部メモリ、を備え、前記外部メモリが差替えられた場合、前記通信制御手段は、発信規制を解除することが好ましい。
【００１０】
この発明によれば、移動機の加入者情報を記憶する着脱自在な外部メモリが差替えられた場合、発信規制を解除することができる。これにより、ＵＩＭなどの外部メモリが差替えられた場合、新たに挿入された外部メモリの加入者に対して発信規制を行わせることがなくなる。よって、使い勝手の良い移動機を提供することができる。
【００１１】
また、本発明のサーバ装置は、複数の移動機から送受信されたパケットデータのデータ量を移動機ごとに区別して計測する計測手段と、一の移動機における、前記計測手段により計測された単位時間当たりのデータ量が、あらかじめ定められた規定量より大きいと判断された場合、前記一の移動機に対してデータ発信を規制する規制時間を示す時間情報を含む、データ発信を規制する旨を示す規制情報を送信する送信手段と、を備えている。
【００１２】
この発明によれば、複数の移動機から送受信されたパケットデータのデータ量を移動機ごとに区別して計測し、一の移動機において計測された単位時間当たりのデータ量が、あらかじめ定められた規定量より大きいと判断された場合、一の移動機に対してデータ発信を規制する規制時間を示す時間情報を含む、データ発信を規制する旨の規制情報を送信することができる。これにより、一の移動機において単位時間当たりのデータ発信量が多い場合、一の移動機からのデータ発信を規制することができ、ネットワークの負荷を低減することができる。また、一の移動機において、定められた規制時間、発信規制を行うことができ、一定の時間はネットワークの負荷を低減することができる。
【００１３】
また、本発明の通信システムは、移動機と、前記移動機において送受信されているデータのデータ量を計測するサーバ装置と、を含んで構成されている通信システムにおいて、前記サーバ装置は、前記移動機から送受信されたパケットデータのデータ量を計測する計測手段と、前記計測手段により計測された単位時間当たりのデータ量が、あらかじめ定められた規定量より大きい場合、前記移動機に対してデータ発信を規制する規制時間を示す時間情報を含む、データ発信を規制する旨を示す規制情報を送信する送信手段と、を備え、前記移動機は、データ発信を規制する規制時間を示す時間情報を含む、データ発信を規制する旨を示す規制情報を受信する受信手段と、前記受信手段により規制情報が受信されたときに基づいて前記時間情報で示された規制時間を計時する計時手段と、前記受信手段により受信された規制情報に基づいてデータ発信を行わないように発信規制を行い、規制時間で定められた時間が前記計時手段により計時された場合、発信規制を解除する通信制御手段と、を備えている。
【００１４】
また、本発明の発信規制方法は、移動機と、前記移動機において送受信されているデータのデータ量を計測するサーバ装置と、を含んで構成されている通信システムの発信規制方法において、前記サーバ装置は、前記移動機から送受信されたパケットデータのデータ量を計測する計測ステップと、前記計測ステップにより計測された単位時間当たりのデータ量が、あらかじめ定められた規定量より大きい場合、前記移動機に対してデータ発信を規制する規制時間を示す時間情報を含む、データ発信を規制する旨を示す規制情報を送信する送信ステップと、を備え、前記移動機は、データ発信を規制する規制時間を示す時間情報を含む、データ発信を規制する旨を示す規制情報を受信する受信ステップと、前記受信ステップにより規制情報が受信されたときに基づいて前記規制時間で示された時間を計時する計時ステップと、前記受信ステップにより受信された規制情報に基づいてデータ発信を行わないように発信規制を行い、規制時間で定められた時間が前記計時ステップにより計時された場合、発信規制を解除する通信制御ステップと、を備えている。
【００１５】
この発明によれば、一の移動機からのデータ発信量が多い場合、そのデータ発信を規制することができ、ネットワークの負荷を低減することができる。また、定められた規制時間、発信規制を行うことができ、一定の時間はネットワークの負荷を低減することができる。
【発明の効果】
【００１６】
本発明は、一の移動機からのデータ発信量が多い場合、当該一の移動機におけるデータ発信を規制することができ、ネットワークの負荷を低減することができる。また、定められた規制時間、移動機からの発信規制を行うことができ、一定の時間はネットワークの負荷を低減することができる。
【発明を実施するための最良の形態】
【００１７】
本発明は、一実施形態のために示された添付図面を参照して以下の詳細な記述を考慮することによって容易に理解することができる。引き続いて、添付図面を参照しながら本発明の実施形態を説明する。可能な場合には、同一の部分には同一の符号を付して、重複する説明を省略する。
【００１８】
図１は、本実施形態における移動機１００、変換サーバ２００、サービスサーバ３００およびゲートウエイサーバ４００を含んで構成されている通信システムを示すシステム構成図である。
【００１９】
移動機１００は、変換サーバ２００を経由してゲートウエイサーバ４００に対してデータ通信を行う。ゲートウエイサーバ４００では、移動機１００から送信されたデータ（例えば、パケットデータ）を、宛先となる他の移動機またはＷｅｂサイトに送信する。
【００２０】
ここで、移動機１００とゲートウエイサーバ４００との間に、変換サーバ２００が配置されている。この変換サーバ２００では、移動機１００から送信されたデータ量をカウントするとともに、無線通信におけるプロトコル変換処理を行う。変換サーバ２００は、カウントされたデータ量を、サービスサーバ３００に、移動機ごとに区別して記憶させる。変換サーバ２００は、移動機１００から発信処理が行われるたびに、サービスサーバ３００から、移動機ごとに記憶されたデータ量のうち一の移動機１００のデータ量を取り出し、取り出したデータ量があらかじめ定めた閾値以上であるか否かを判断する。そして、変換サーバ２００は、取り出したデータ量があらかじめ定めた閾値以上であると判断した場合、当該一の移動機１００に対して発信規制を行う旨の指示を示す規制情報であるリジェクト信号を送信する。送信されるリジェクト信号は、発信規制の規制時間を示す規制時間情報を含む。
【００２１】
このように移動機１００から送信されたデータ量を変換サーバ２００で管理するとともに、そのデータ量に応じて変換サーバ２００は移動機１００に対してデータ発信を規制する旨を指示するリジェクト信号を送信することにより、リジェクト信号を受信した移動機１００では、データ発信の規制を行うことができる。以下、移動機１００および変換サーバ２００の構成について説明する。
【００２２】
図２は、移動機１００の各モジュールにおける論理的構成を示すブロック構成図である。移動機１００は、ＭＴＦ（Mobile Terminal Function）１０１、ＴＡＦ（Terminal Adaptation Function）１０２、ＴＥ（TerminalEquipment）１０３、ＴＭＦ（Terminal Management Function）１０４、ＵＩＭＦ（User Identified ModuleFunction）１０５、ＵＩＭ（User Identified Module）１０６、メール受信モジュール１０７を含んで構成されている。以下、各構成について説明する。
【００２３】
ＭＴＦ１０１は、無線通信を行うモジュールであり、無線通信回路（図示せず）を用いて、無線基地局と無線通信を行うことができる。そして、ＭＴＦ１０１は、無線基地局および変換サーバ２００を経由してゲートウエイサーバ４００に対して、無線通信の確立、サービスリクエスト処理、認証処理、および暗号化手続などを行う。また、ＭＴＦ１０１は、変換サーバ２００からリジェクト信号を受信した場合、リジェクト信号に含まれている時間情報を、規制要求としてＴＡＦ１０２に出力する。
【００２４】
ＴＡＦ１０２は、ＴＥ１０３の制御を行う部分である。本実施形態では、ＴＥ１０３として、ボタンが配置される操作部および情報を表示するディスプレイ部を想定しており、ＴＡＦ１０２は、操作部およびディスプレイ部を制御するモジュールである。ＴＡＦ１０２は、ＴＥ１０３の操作部から受信した発信要求をＭＴＦ１０１に出力し、また、ＭＴＦ１０１から出力された規制要求に基づいて生成した発信規制メッセージをＴＥ１０３に出力し、ＴＥ１０３のディスプレイ部に発信規制中であることを示すメッセージを表示させる。なお、本実施形態では、ＴＡＦ１０２は、ＭＴＦ１０１から出力された規制要求に規制時間情報が含まれていることを認識することにより、ＭＴＦ１０１からデータ発信の規制要求が出力されたことと、認識することができる。そして、ＴＡＦ１０２は、データ発信の規制要求が出力されたことを認識した場合は、記憶領域部１０２ａ、計時部１０２ｂ、および通信制御部１０２ｃを用いてデータ発信の規制を行う。
【００２５】
記憶領域部１０２ａは、ＭＴＦ１０１から出力された規制要求に含まれている、規制時間を示す規制時間情報を記憶する記憶領域であり、ＴＡＦ１０２内における記憶領域である。
【００２６】
計時部１０２ｂは、タイマーを計時する。計時部１０２ｂは、記憶領域部１０２ａに記憶されている規制時間情報で示される規制時間を計時すると、規制時間を計時したことを通信制御部１０２ｃに出力する。
【００２７】
通信制御部１０２ｃは、ＴＥ１０３として構成される操作部から出力される発信指示などの信号をＭＴＦ１０１に出力するか否かを判断する部分である。通信制御部１０２ｃは、ＴＥ１０３の操作部から出力された発信指示を受けると、記憶領域部１０２ａに記憶されている規制時間情報が記憶されているか否かを判断する（規制時間が０であるか否かを判断することをも含む）。通信制御部１０２ｃは、規制時間情報が記憶領域部１０２ａに記憶されていると判断した場合、発信規制中であると判断して、ＴＥ１０３の操作部から出力された発信指示などの発信処理に関する指示信号を無視し、ＭＴＦ１０１に出力しない処理を行うとともに、ＴＥ１０３として構成されるディスプレイ部分に対して、発信規制中である旨のメッセージを出力する。
【００２８】
また、通信制御部１０２ｃは、計時部１０２ｂから規制時間を計時したことの通知を受けると、記憶領域部１０２ａから規制時間情報を消去または規制時間を０とする処理を行う。
【００２９】
ＴＥ１０３は、ＴＡＦ１０２により制御されるハードウエアであり、本実施形態においては、操作部およびディスプレイ部である。
【００３０】
ＴＭＦ１０４は、移動機１００の装置全体を制御する制御モジュールである。本実施形態においては、例えば、ＵＩＭ１０６が他のＵＩＭと差替えられた場合、ＴＭＦ１０４は、ＴＡＦ１０２の記憶領域部１０２ａに記憶されている規制時間情報を消去する処理（または時間を０とする）を行い、発信規制を解除する。
【００３１】
また、ＭＴＦ１０１を経由して、インターネット電子メールまたはＳＭＳ（Short Message Service）によるメールをメール受信モジュール１０７が受信し、ＴＭＦ１０４が、メール受信モジュール１０７により受信されたメールに発信規制を解除する旨のメッセージが記述されていたことを判断した場合、ＴＭＦ１０４は、ＴＡＦ１０２の記憶領域部１０２ａに記憶されている規制時間情報を消去する処理（または時間を０とする処理）を行い、発信規制を解除する。
【００３２】
ＵＩＭＦ１０５は、ＵＩＭ１０６を制御するモジュールであり、ＵＩＭ１０６に記憶されているデータを読み出し、またはＵＩＭ１０６にデータを記憶させる制御を行う。
【００３３】
ＵＩＭ１０６は、移動機１００に対して着脱自在に装着される外部メモリであって、移動機１００の加入者情報を記憶する。
【００３４】
メール受信モジュール１０７は、インターネット電子メールを受信し、またはＳＭＳによるメールを受信するモジュールであり、規制解除の旨を示すメッセージが記述されたインターネット電子メールまたはＳＭＳによるメールを受信することができる。
【００３５】
このように構成された移動機１００は、ＭＴＦ１０１を介してデータを送受信することができ、例えばＭＴＦ１０１を介して発信規制を示すリジェクト信号を受信すると、ＴＡＦ１０２に発信規制の旨が設定され、ＴＡＦ１０２は、ＴＥ１０３で指示された操作を無視するよう制御することができる。また、計時部１０２ｂが規制時間で示された時間を計時した場合、規制解除の旨を示すメッセージを受信した場合、またはＵＩＭ１０６が他のＵＩＭと差替えられた場合、移動機１００において、その発信規制が解除される。
【００３６】
次に、移動機１００から送信されるデータ量を計測し、サービスサーバ３００に移動機ごとに区別して記憶させる変換サーバ２００について説明する。図３は、変換サーバ２００の構成を示すブロック構成図である。変換サーバ２００は、通信部２０１、トラフィック監視部２０２、登録部２０３、データ量判断部２０４、およびリジェクト信号生成部２０５を含んで構成されている。なお、変換サーバ２００の主機能である無線通信におけるプロトコル変換を行うプロトコル変換部（図示せず）を備える。
【００３７】
通信部２０１は、移動機１００から送信されたデータ（例えばパケットデータ）を受信する部分であり、受信されたデータのデータ量を計測するため、トラフィック監視部２０２にデータを出力する。
【００３８】
トラフィック監視部２０２は、通信部２０１により受信されたデータのデータ量を監視し、そのデータ量を計測する部分である。
【００３９】
登録部２０３は、トラフィック監視部２０２により計測されたデータ量をサービスサーバ３００に記憶させる部分であり、データの発信元である移動機ごとに区別してサービスサーバ３００に記憶させ、また、記憶したデータ量を更新する。
【００４０】
データ量判断部２０４は、通信部２０１により受信されたデータが、移動機１００からのデータ発信を示す起動信号であると判断した場合、単位時間あたりの移動機１００における送受信されたデータ量を判断する。具体的には、データ量判断部２０４は、サービスサーバ３００と通信接続して、サービスサーバ３００に記憶されている移動機１００のデータ量を取り出す。そして、データ量判断部２０４は、取り出した移動機１００におけるデータ量の単位時間当たりのデータ量を計算する。データ量判断部２０４は、計算した単位時間当たりのデータ量があらかじめ定めた規定量より大きいと判断した場合、移動機１００をデータ発信の規制対象とする、と判断する。移動機１００をデータ発信の規制対象と判断したデータ量判断部２０４は、移動機１００にデータ発信の規制対象となったことを通知するため、リジェクト信号生成部２０５にリジェクト信号を生成して出力するよう指示を出力する。
【００４１】
リジェクト信号生成部２０５は、移動機１００がデータ発信の規制対象となったことを移動機１００に通知するために、移動機１００からの発信信号に対して、リジェクト信号を生成して移動機１００に送信する。具体的には、リジェクト信号生成部２０５は、移動機１００が発信規制となったことを示すため、リジェクト信号に規制時間を示す規制時間情報を付加し、当該リジェクト信号を、通信部２０１を経由して移動機１００に送信する。リジェクト信号生成部２０５は、リジェクト信号を移動機１００に送信するとともに、ゲートウエイサーバ４００に対して通信断の処理を行う。
【００４２】
次に、移動機１００および変換サーバ２００の動作について説明する。図４は、移動機１００および変換サーバ２００の動作を示すシーケンス図である。
【００４３】
ユーザがＴＥ１０３である操作部を操作することによる発信操作が行われ、発信処理が行われる（Ｓ１０１）。ＴＡＦ１０２では、ＴＥ１０３の操作部から入力された発信処理に基づいて発信要求がＭＴＦ１０１に対して出力される（Ｓ１０２）。ＭＴＦ１０１では、発信要求に基づいて、ゲートウエイサーバ４００に対する無線通信確立が行われる（Ｓ１０３）。無線通信確立後、ＭＴＦ１０１からサービスリクエストとして通信ベアラなどが指定されたリクエスト信号が、ゲートウエイサーバ４００に送信される（Ｓ１０４）。そして、ゲートウエイサーバ４００に対して認証処理（Ｓ１０５）、暗号化手続（Ｓ１０６）が行われ、通信リクエストがＭＴＦ１０１から、ゲートウエイサーバ４００に送信される（Ｓ１０７）。通信リクエストには、例えば、パケット通信を行うことをリクエストするコマンドが設定され、また、宛先としてＵＲＬまたは電子メールアドレスが設定され、さらに、電子メール通信であるか、ＷＥＢアクセスであるかを示す通信方式を示すコマンドが設定されている。
【００４４】
通信リクエストが送信された後、変換サーバ２００では、移動機１００から送信された単位時間当たりのデータ量が、あらかじめ定めた規定量より大きいと、データ量判断部２０４により判断された場合、ゲートウエイサーバ４００に対しては通信断の処理がなされる（Ｓ１０８）。移動機１００に対しては、データ量判断部２０４からの指示により、発信規制の規制時間を示す規制時間情報を含んだリジェクト信号がリジェクト信号生成部２０５により生成される。そして、生成されたリジェクト信号は移動機１００に送信される（Ｓ１０９）。
【００４５】
移動機１００では、ＭＴＦ１０１によりリジェクト信号が受信され、ＭＴＦ１０１から規制時間を示す規制時間情報を含んだ規制要求がＴＡＦ１０２に出力される（Ｓ１１０）。ＴＡＦ１０２では、受信した規制要求（規制時間情報を含む）に基づいて、その記憶領域部１０２ａに規制時間情報が記憶され、計時部による１０２ｂによる計時が開始される（Ｓ１１１）。また、ＴＡＦ１０２における通信制御部１０２ｃにおいて、発信規制中である旨のメッセージが作成され、当該メッセージがＴＥ１０３に出力される（Ｓ１１２）。ＴＥ１０３のディスプレイ部では、規制中である旨のメッセージが表示される（Ｓ１１３）。
【００４６】
その後、ユーザがＴＥ１０３の操作部を操作することによる発信処理が行われると（Ｓ１１４）、ＴＡＦ１０２では、記憶領域部１０２ａに規制時間情報が記憶されていると、通信制御部１０２ｃにより判断された場合、移動機１００は発信規制中であると判断される（Ｓ１１５）。そして、ＴＡＦ１０２の通信制御部１０２ｃでは、発信規制中である旨のメッセージが生成され、ＴＥ１０３に出力される（Ｓ１１６）。ＴＥ１０３のディスプレイ部では、規制中である旨のメッセージが表示され（Ｓ１１７）、ユーザに発信規制中であることを報知することができる。なお、記憶領域部１０２ａに記憶されている規制時間情報で示されている規制時間が計時部１０２ｂにより計時された場合、通信制御部１０２ｃにより発信規制が解除される。
【００４７】
ここで、発信規制中であることを示すメッセージの具体例を、図５を用いて説明する。図５は、ＴＥ１０３のディスプレイ部で表示されているメッセージの具体例を示す説明図である。図５に示すように、ＴＥ１０３のディスプレイ部には、「ただいま利用制限中の為しばらくしてからご利用下さい。」とのメッセージが表示され、ユーザは移動機が発信規制に入ったことを認識することができる。
【００４８】
次に、本実施形態の移動機１００、変換サーバ２００の作用効果について説明する。本実施形態の移動機１００は、ＭＴＦ１０１によりデータ発信を規制する規制時間を含む、データ発信を規制する旨を示すリジェクト信号を受信し、リジェクト信号が受信されたときに基づいて規制時間で示された時間をＴＡＦ１０２の計時部１０２ｂを用いて計時し、受信されたリジェクト信号に基づいてデータ発信を行わないように発信規制を行い、計時部１０２ｂにより規制時間で定められた時間を計時した場合、発信規制を解除することができる。これにより、移動機１００からの単位時間当たりのデータ発信量が多い場合、そのデータ発信を規制することができ、ネットワークの負荷を低減することができる。また、定められた規制時間の間、発信規制を行うことで、一定の時間はネットワークの負荷を低減することができる。
【００４９】
また、本実施形態の移動機１００の通信制御部１０２ｃは、リジェクト信号に基づいた発信規制を解除する旨が記述されているインターネット電子メール（またはＳＭＳのメール）をメール受信モジュール１０７で受信した場合、発信規制を解除することができる。これにより、通信キャリア事業者などが発信規制を解除する旨のメールを移動機１００に送信することで、移動機１００では災害発生など緊急時にデータ発信規制を迅速に解除することができ、使い勝手のよい移動機１００を提供することができる。
【００５０】
また、本実施形態の移動機１００の通信制御部１０２ｃは、移動機１００の加入者情報を記憶する着脱自在なＵＩＭ１０６が差替えられた場合、発信規制を解除することができる。これにより、ＵＩＭ１０６が差替えられた場合、新たに挿入されたＵＩＭに記述されている加入者に対して発信規制を行わせることがなくなる。よって、使い勝手の良い移動機１００を提供することができる。
【００５１】
また、本実施形態の変換サーバ２００は、トラフィック監視部２０２を用いて複数の移動機から送受信されたパケットデータのデータ量を移動機ごとに区別して計測し、一の移動機において計測された単位時間当たりのデータ量が、あらかじめ定められた規定量より大きいと、トラフィック監視部２０２において判断された場合、リジェクト信号生成部２０５により、一の移動機に対してデータ発信を規制する規制時間を示す時間情報を含む、データ発信を規制する旨のリジェクト信号を生成して、通信部２０１において送信することができる。これにより、一の移動機においてデータ発信量が多い場合、そのデータ発信を規制することができ、ネットワークの負荷を低減することができる。また、一の移動機において、定められた規制時間の間、発信規制を行うことで、一定の時間はネットワークの負荷を低減することができる。
【図面の簡単な説明】
【００５２】
【図１】通信システムを示すシステム構成図である。
【図２】移動機１００の各モジュールにおける論理的構成を示すブロック構成図である。
【図３】変換サーバ２００の構成を示すブロック構成図である。
【図４】移動機１００および変換サーバ２００の動作を示すシーケンス図である。
【図５】、ＴＥ１０３のディスプレイ部で表示されているメッセージの具体例を示す説明図である。
【符号の説明】
【００５３】
１００・・・移動機、１０１・・・ＭＴＦ、１０２・・・ＴＡＦ、１０２ａ・・・記憶領域部、１０２ｂ・・・計時部、１０２ｃ・・・通信制御部、１０３・・・ＴＥ、１０４・・・ＴＭＦ、１０５・・・ＵＩＭＦ、１０６・・・ＵＩＭ、１０７・・・メール受信モジュール、２００・・・変換サーバ、２０１・・・通信部、２０２・・・トラフィック監視部、２０３・・・登録部、２０４・・・データ量判断部、２０５・・・リジェクト信号生成部、３００・・・サービスサーバ、４００・・・ゲートウエイサーバ。
【図１】
2007281880.tif 000003
【図２】
2007281880.tif 000004
【図３】
2007281880.tif 000005
【図４】
2007281880.tif 000006
【図５】
2007281880.tif 000007